【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
ユニバーサルシリアルバス（ＵＳＢ）ソケットとともに使用するための回路であって、前記回路が、
入力端子において入力電圧を受信するように結合された、および、出力端子において出力電圧を提供するように結合された電力コンバーターと、
前記電力コンバーターの前記出力端子と前記ＵＳＢソケットのバス電圧端子との間に結合されたトランジスタと、
前記ＵＳＢソケットに結合されたＵＳＢ通信制御装置であって、
前記ＵＳＢ通信制御装置が、前記トランジスタの制御端子に結合された出力端子を含む、
前記ＵＳＢ通信制御装置と、
前記ＵＳＢ通信制御装置の前記出力端子と前記ＵＳＢソケットの前記バス電圧端子との間に結合されたブリーダー回路であって、前記ブリーダー回路が前記バス電圧端子を前記出力端子に放電するように結合された、前記ブリーダー回路と、
を備える、前記回路。
【請求項２】
前記トランジスタの第１の端子が、前記電力コンバーターの前記出力端子に結合され、
前記トランジスタの第２の端子が、前記ＵＳＢソケットの前記バス電圧端子に結合された、
請求項１に記載の回路。
【請求項３】
前記ブリーダー回路が、
前記トランジスタの前記制御端子に結合された第１の端子と、
前記トランジスタの第２の端子に結合された第２の端子と、
を含む、
請求項１に記載の回路。
【請求項４】
前記トランジスタの前記制御端子が、前記ＵＳＢ通信制御装置の前記出力端子から、第１の電圧信号、第２の電圧信号、または高インピーダンス信号のうちの１つを受信するように結合された、
請求項２に記載の回路。
【請求項５】
前記バス電圧端子が、前記トランジスタがオンに切り替えられたとき、前記電力コンバーターの前記出力電圧を受信するように結合され、
前記バス電圧端子が、前記トランジスタがオフに切り替えられたとき、前記ブリーダー回路を通して実質的に０ボルトまで放電するように結合された、
請求項１に記載の回路。
【請求項６】
前記ＵＳＢ通信制御装置が、３状態ドライバに結合されたチャージポンプを備え、
前記３状態ドライバが、駆動信号を出力する前記ＵＳＢ通信制御装置の前記出力端子にさらに結合された、
請求項１に記載の回路。
【請求項７】
前記チャージポンプが、前記３状態ドライバの入力に電圧を出力するように結合された、
請求項６に記載の回路。
【請求項８】
前記３状態ドライバが、制御信号を受信するように結合され、
前記制御信号が論理ハイであるとき、前記３状態ドライバがオンに切り替えられ、
前記制御信号が論理ローであるとき、前記３状態ドライバがオフに切り替えられる、
請求項６に記載の回路。
【請求項９】
前記３状態ドライバがオンに切り替えられたとき、前記３状態ドライバが、前記ＵＳＢ通信制御装置の前記出力端子における前記駆動信号にチャージポンプ電圧を出力するように結合され、
前記３状態ドライバがオフに切り替えられたとき、前記３状態ドライバが、前記ＵＳＢ通信制御装置の前記出力端子において高インピーダンス信号を出力するように結合された、
請求項８に記載の回路。
【請求項１０】
前記トランジスタが、前記駆動信号に応答して、オンおよびオフに切り替えられるように結合され、
前記トランジスタが、前記高インピーダンス信号に応答して、オフに切り替えられるように結合された、
請求項９に記載の回路。
【請求項１１】
前記駆動信号が、より高い値の前記チャージポンプ電圧に応答して、前記トランジスタをオンおよびオフに切り替えるように結合され、
前記バス電圧端子が、より低い値の前記チャージポンプ電圧に応答して、前記ブリーダー回路を通して実質的に０ボルトまで放電するように結合された、
請求項９に記載の回路。
【請求項１２】
前記ブリーダー回路が、抵抗器を備える、
請求項１に記載の回路。
【請求項１３】
請求項１から請求項１２のいずれか一項に記載の回路を備える充電ユニット。
【請求項１４】
ＵＳＢソケットのバス電圧端子を充電する方法であって、
制御装置の駆動端子における、より高い値の電圧に応答して、電力コンバーターの出力端子と前記ＵＳＢソケットの前記バス電圧端子との間に結合されたトランジスタをオンに切り替えることであって、
前記トランジスタの制御端子が、前記駆動端子から、前記より高い値の電圧を受信するように結合された、
前記オンに切り替えることと、
前記制御装置の前記駆動端子における、より低い値の電圧に応答して、前記トランジスタをオフに切り替えることであって、
前記トランジスタの前記制御端子が、前記駆動端子から、前記より低い値の電圧を受信するように結合された、
前記オフに切り替えることと、
前記駆動端子における、前記より低い値の電圧に応答して、前記ＵＳＢソケットの前記バス電圧端子と前記制御装置の前記駆動端子との間に結合されたブリーダー回路を通して前記ＵＳＢソケットの前記バス電圧端子を前記制御装置の前記駆動端子に放電することと、
前記ＵＳＢソケットの前記バス電圧端子が放電された後、前記制御装置の前記駆動端子における高インピーダンス信号に応答して、前記トランジスタをオフに切り替えることと、
を含む、ＵＳＢソケットのバス電圧端子を充電する方法。
【請求項１５】
前記ＵＳＢソケットの前記バス電圧端子が、前記制御装置の前記駆動端子における、前記より低い値の電圧または前記高インピーダンス信号のうちの１つに応答して、前記電力コンバーターの前記出力端子から接続解除される、
請求項１４に記載の方法。
【請求項１６】
前記ＵＳＢソケットの前記バス電圧端子が、前記制御装置の前記駆動端子における、前記より高い値の電圧に応答して、前記トランジスタを通して前記電力コンバーターの前記出力端子に接続される、
請求項１４に記載の方法。
【請求項１７】
受電ユニットが前記ＵＳＢソケットに接続されているか否かを確認すること、
をさらに含む、請求項１４に記載の方法。
【請求項１８】
前記電力コンバーターの前記出力端子と前記ＵＳＢソケットの前記バス電圧端子との間に結合された前記トランジスタをオンに切り替えることは、前記受電ユニットが前記ＵＳＢソケットに接続されたことに応答して、発生する、
請求項１７に記載の方法。
【請求項１９】
前記電力コンバーターの前記出力端子と前記ＵＳＢソケットの前記バス電圧端子との間に結合された前記トランジスタをオフに切り替えることは、前記受電ユニットが前記ＵＳＢソケットに対して接続解除されたことに応答して、発生する、
請求項１７に記載の方法。
【手続補正２】
【補正対象書類名】明細書
【補正対象項目名】００５３
【補正方法】変更
【補正の内容】
【００５３】
本発明に関して示される例についての上述の説明は、要約で説明される事項を含め、網羅的であることも、開示される形態そのものへの限定であることも意図されない。本発明の特定の実施形態および例が、本明細書において例示を目的として説明されるが、本発明のより広い趣旨および範囲から逸脱することなく様々な同等な変更が可能である。実際、具体的で例示的な電圧、電流、周波数、出力範囲値、時間などが説明のために提示されることと、本発明の教示に従った他の実施形態および例において他の値も使用し得ることとが理解される。
［付記項１］
ユニバーサルシリアルバス（ＵＳＢ）ソケットとともに使用するための回路であって、前記回路が、
入力端子において入力電圧を受信するように結合された、および、出力端子において出力電圧を提供するように結合された電力コンバーターと、
前記電力コンバーターの前記出力端子と前記ＵＳＢソケットのバス電圧端子との間に結合されたトランジスタと、
前記ＵＳＢソケットに結合されたＵＳＢ通信制御装置であって、
前記ＵＳＢ通信制御装置が、前記トランジスタの制御端子に結合された出力端子を含む、
前記ＵＳＢ通信制御装置と、
前記ＵＳＢ通信制御装置の前記出力端子と前記ＵＳＢソケットの前記バス電圧端子との間に結合されたブリーダー回路と、
を備える、前記回路。
［付記項２］
前記トランジスタの第１の端子が、前記電力コンバーターの前記出力端子に結合され、
前記トランジスタの第２の端子が、前記ソケットの前記バス電圧端子に結合された、
付記項１に記載の回路。
［付記項３］
前記ブリーダーが、
前記トランジスタの前記制御端子に結合された第１の端子と、
前記トランジスタの前記第２の端子に結合された第２の端子と、
を含む、
付記項１に記載の回路。
［付記項４］
前記トランジスタの前記制御端子が、前記ＵＳＢ通信制御装置の前記出力端子から、第１の電圧信号、第２の電圧信号、または高インピーダンス信号のうちの１つを受信するように結合された、
付記項２に記載の回路。
［付記項５］
前記バス電圧端子が、前記トランジスタがオンに切り替えられたとき、前記電力コンバーターの前記出力電圧を受信するように結合され、
前記バス電圧端子が、前記トランジスタがオフに切り替えられたとき、前記ブリーダー回路を通して実質的に０ボルトまで放電するように結合された、
付記項１に記載の回路。
［付記項６］
前記制御装置が、３状態ドライバに結合されたチャージポンプを備え、
前記３状態ドライバが、駆動信号を出力する前記ＵＳＢ通信制御装置の前記出力端子にさらに結合された、
付記項１に記載の回路。
［付記項７］
前記チャージポンプが、前記３状態ドライバの入力に電圧を出力するように結合された、
付記項６に記載の回路。
［付記項８］
前記３状態ドライバが、制御信号を受信するように結合され、
前記制御信号が論理ハイであるとき、前記３状態ドライバがオンに切り替えられ、
前記制御信号が論理ローであるとき、前記３状態ドライバがオフに切り替えられる、
付記項６に記載の回路。
［付記項９］
前記３状態ドライバがオンに切り替えられたとき、前記３状態ドライバが、前記ＵＳＢ通信制御装置の前記出力端子における前記駆動信号にチャージポンプ電圧を出力するように結合され、
前記３状態ドライバがオフに切り替えられたとき、前記３状態ドライバが、前記ＵＳＢ通信制御装置の前記出力端子において前記高インピーダンス信号を出力するように結合された、
付記項８に記載の回路。
［付記項１０］
前記トランジスタが、前記駆動信号に応答して、オンおよびオフに切り替えられるように結合され、
前記トランジスタが、前記高インピーダンス信号に応答して、オフに切り替えられるように結合された、
付記項９に記載の回路。
［付記項１１］
前記駆動信号が、より高い値の前記チャージポンプ電圧に応答して、前記トランジスタをオンおよびオフに切り替えるように結合され、
前記バス電圧端子が、より低い値の前記チャージポンプ電圧に応答して、前記ブリーダー回路を通して実質的に０ボルトまで放電するように結合された、
付記項９に記載の回路。
［付記項１２］
前記ブリーダー回路が、抵抗器を備える、
付記項１に記載の回路。
［付記項１３］
ＵＳＢコネクタのバス電圧端子を充電する方法であって、
制御装置の駆動端子における、より高い値の電圧に応答して、電力コンバーターの出力端子とＵＳＢソケットの前記バス電圧端子との間に結合されたトランジスタをオンに切り替えることであって、
前記トランジスタの制御端子が、前記駆動端子から、前記より高い値の電圧を受信するように結合された、
前記オンに切り替えることと、
前記制御装置の前記駆動端子における、より低い値の電圧に応答して、前記トランジスタをオフに切り替えることであって、
前記トランジスタの前記制御端子が、前記駆動端子から、前記より低い値の電圧を受信するように結合された、
前記オフに切り替えることと、
前記駆動端子における、前記より低い値の電圧に応答して、前記ＵＳＢソケットの前記バス電圧端子と前記制御装置の前記駆動端子との間に結合されたブリーダー回路を通して前記ＵＳＢソケットの前記バス電圧端子を放電することと、
前記ＵＳＢソケットの前記バス電圧端子が放電された後、前記制御装置の前記駆動端子における高インピーダンス信号に応答して、前記トランジスタをオフに切り替えることと、
を含む、ＵＳＢコネクタのバス電圧端子を充電する方法。
［付記項１４］
前記ＵＳＢソケットの前記バス電圧端子が、前記制御装置の前記駆動端子における、前記より低い値の電圧または前記高インピーダンス信号のうちの１つに応答して、前記電力コンバーターの前記出力端子から接続解除される、
付記項１３に記載の方法。
［付記項１５］
前記ＵＳＢソケットの前記バス電圧端子が、前記制御装置の前記駆動端子における、前記より高い値の電圧に応答して、前記トランジスタを通して前記電力コンバーターの前記出力端子に接続される、
付記項１３に記載の方法。
［付記項１６］
受電ユニットが前記ＵＳＢソケットに接続されているか否かを確認すること、
をさらに含む、付記項１３に記載の方法。
［付記項１７］
前記電力コンバーターの前記出力端子と前記ＵＳＢソケットの前記バス電圧端子との間に結合された前記トランジスタをオンに切り替えることは、前記受電ユニットが前記ＵＳＢソケットに接続されたことに応答して、発生する、
付記項１６に記載の方法。
［付記項１８］
前記電力コンバーターの前記出力端子と前記ＵＳＢソケットの前記バス電圧端子との間に結合された前記トランジスタをオフに切り替えることは、前記受電ユニットが前記ＵＳＢソケットに対して接続解除されたことに応答して、発生する、
付記項１６に記載の方法。